(57)【要約】本発明は、同軸ケーブル（１５０、２５０、３５０）の制御信号の衝突を監視するための監視装置（１００、３４０）を提供し、監視装置（１００、３４０）は、同軸ケーブルに送信される制御信号（１０２、２０２、３０２、３３２）を検出するために、監視装置（１００、３４０）を同軸ケーブル（１５０、２５０、３５０）に結合するように構成された入力ポート（１０１、３４１）と、監視装置（１００、３４０）をデータネットワーク（１５２、２５２、３５２）に結合するように構成され、検出された制御信号（１０４、２０４、３０４）を出力するように構成されたデータインターフェース（１０３、３４２）と、を含む。さらに、本発明は、同軸ケーブル（１５０、２５０、３５０）を介して衛星信号を受信するための電子機器（２００、３２０、３２８）を提供し、機器は、電子機器（２００、３２０、３２８）を同軸ケーブル（１５０、２５０、３５０）に結合するように構成された信号インターフェース（２０５、３２５、３２９）と、前記電子機器（２００、３２０、３２８）を前述の請求項のいずれか一項に記載の監視装置（１００、３４０）に結合するように構成されたデータインターフェース（２０６、３２６、３３０）と、信号インターフェース（２０５、３２５、３２９）を介して、同軸ケーブル（１５０、１３）に制御信号（１０２、２０２、３０２、３３２）、特にＤｉｓｅｑＣ制御信号を送信し、同軸ケーブル（１５０、２５０、３５０）のそれぞれの制御信号（１０２、２０２、３０２、３３２）の存在について、データインターフェース（２０６、３２６、３３０）を介して監視装置（１００、３４０）に照会するように構成された機器制御ユニット（２０７、３２７、３３１）と、を含む。さらに、本発明は、それぞれの単一ケーブル衛星システムおよびそれぞれの監視方法を提供する。【選択図】図１【特許請求の範囲】
【請求項１】
同軸ケーブル（１５０、２５０、３５０）の制御信号の衝突を監視するための監視装置（１００、３４０）であって、
前記同軸ケーブル（１５０、２５０、３５０）に送信される制御信号（１０２、２０２、３０２、３３２）を検出するために、前記監視装置（１００、３４０）を前記同軸ケーブル（１５０、２５０、３５０）に結合するように構成された入力ポート（１０１、３４１）と、
前記監視装置（１００、３４０）をデータネットワーク（１５２、２５２、３５２）に結合するように構成され、前記検出された制御信号（１０４、２０４、３０４）を出力するように構成されたデータインターフェース（１０３、３４２）と、を含む、監視装置（１００、３４０）。
【請求項２】
ＤｉＳＥｑＣ制御信号（１０２、２０２、３０２、３３２）の存在について前記同軸ケーブル（１５０、２５０、３５０）で検出された信号を分析するように構成された制御ユニット（３４３）を含み、前記制御ユニット（３４３）は、さらに、前記データインターフェース（１０３、３４２）を介して前記検出されたＤｉＳＥｑＣ制御信号（３２２）を出力するように構成される、請求項１に記載の監視装置（１００、３４０）。
【請求項３】
前記制御ユニット（３４３）は、前記同軸ケーブル（１５０、２５０、３５０）で検出された前記信号をデコードし、前記同軸ケーブル（１５０、２５０、３５０）の少なくとも２つのＤｉＳＥｑＣ制御信号（１０２、２０２、３０２、３３２）の衝突を検出し、前記データインターフェース（１０３、３４２）を介してそれぞれの情報を出力する、請求項１または請求項２に記載の監視装置（１００、３４０）。
【請求項４】
前記制御ユニット（３４３）が前記同軸ケーブル（１５０、２５０、３５０）の少なくとも２つのＤｉＳＥｑＣ制御信号（１０２、２０２、３０２、３３２）の衝突を検出する場合、前記制御ユニット（３４３）は、前記衝突が発生するまで前記データインターフェース（１０３、３４２）を介して前記制御ユニット（３４３）によって受信される部分的なＤｉＳＥｑＣ制御信号（３２３）を出力するように構成される、請求項１乃至請求項３のいずれか一項に記載の監視装置（１００、３４０）。
【請求項５】
同軸ケーブル（１５０、２５０、３５０）を介して衛星信号を受信するための電子機器（２００、３２０、３２８）であって、
前記電子機器（２００、３２０、３２８）を前記同軸ケーブル（１５０、２５０、３５０）に結合するように構成された信号インターフェース（２０５、３２５、３２９）と、
請求項１乃至請求項４のいずれか一項に記載の監視装置（１００、３４０）に電子機器（２００、３２０、３２８）を結合するように構成されたデータインターフェース（２０６、３２６、３３０）と、
前記信号インターフェース（２０５、３２５、３２９）を介して前記同軸ケーブル（１５０、２５０、３５０）に制御信号（１０２、２０２、３０２、３３２）、特にＤｉｓＥｑＣ制御信号を送信し、前記同軸ケーブル（１５０、２５０、３５０）の前記それぞれの制御信号（１０２、２０２、３０２、３３２）の存在について、前記データインターフェース（２０６、３２６、３３０）を介して前記監視装置（１００、３４０）に照会するように構成された機器制御ユニット（２０７、３２７、３３１）と、を含む、電子機器（２００、３２０、３２８）。
【請求項６】
前記機器制御ユニット（２０７、３２７、３３１）によって送信され、前記監視装置（１００、３４０）によって前記同軸ケーブル（１５０、２５０、３５０）に存在するとして報告されない制御信号（１０２、２０２、３０２、３３２）を再送信するように構成される、請求項５に記載の電子機器（２００、３２０、３２８）。
【請求項７】
機器制御ユニット（２０７、３２７、３３１）は、前記監視装置（１００、３４０）から部分的なＤｉＳＥｑＣ制御信号（３２３）を受信し、前記部分的なＤｉＳＥｑＣ制御信号（３２３）が前記最後に送信された制御信号（１０２、２０２、３０２、３３２）に対応する場合、前記最後に送信された制御信号（１０２、２０２、３０２、３３２）を直ちに再送信するように構成され、
前記部分的なＤｉＳＥｑＣ制御信号（３２３）が前記最後に送信された制御信号（１０２、２０２、３０２、３３２）に対応しない場合、前記機器制御ユニット（２０７、３２７、３３１）は、所定の時間の後に前記最後に送信された制御信号（１０２、２０２、３０２、３３２）を再送信するように構成される、請求項６に記載の電子機器（２００、３２０、３２８）。
【請求項８】
衛星信号受信機（３２１）と、
前記衛星信号受信機（３２１）に結合される単一の同軸ケーブル（１５０、２５０、３５０）と、
前記単一の同軸ケーブル（１５０、２５０、３５０）に結合される請求項１乃至請求項４のいずれか一項に記載の監視装置（１００、３４０）と、
前記単一の同軸ケーブル（１５０、２５０、３５０）に結合される請求項５乃至請求項７のいずれか一項に記載の少なくとも１つの電子機器（２００、３２０、３２８）と、を含む単一ケーブル衛星システム（３００）。
【請求項９】
同軸ケーブル（１５０、２５０、３５０）の制御信号の衝突を監視するための監視方法であって、
電子機器（２００、３２０、３２８）の信号インターフェースを介して、前記同軸ケーブル（１５０、２５０、３５０）に制御信号（１０２、２０２、３０２、３３２）、特にＤｉＳＥｑＣ制御信号を送信し（Ｓ１）、
監視装置（１００、３４０）において、前記同軸ケーブル（１５０、２５０、３５０）に送信される前記制御信号（１０２、２０２、３０２、３３２）を検出し（Ｓ２）、
データネットワーク（１５２、２５２、３５２）を介して、前記電子機器（２００、３２０、３２８）を用いて前記同軸ケーブル（１５０、２５０、３５０）の前記それぞれの制御信号（１０２、２０２、３０２、３３２）の存在を照会し（Ｓ３）、
前記監視装置（１００、３４０）を用いて、前記データネットワーク（１５２、２５２、３５２）を介して前記検出された制御信号（１０４、２０４、３０４）を出力する（Ｓ４）、監視方法。
【請求項１０】
前記監視装置（１００、３４０）において、ＤｉＳＥｑＣ制御信号の存在について前記同軸ケーブル（１５０、２５０、３５０）で検出された信号を分析し、前記データネットワーク（１５２、２５２、３５２）を介して前記検出されたＤｉＳＥｑＣ制御信号（３２２）を出力する、請求項９に記載の監視方法。
【請求項１１】
前記監視装置（１００、３４０）において、前記同軸ケーブル（１５０、２５０、３５０）で検出された前記信号をデコードし、前記同軸ケーブル（１５０、２５０、３５０）の少なくとも２つのＤｉＳＥｑＣ制御信号の衝突を検出し、前記データネットワーク（１５２、２５２、３５２）を介してそれぞれの情報を出力する、請求項９または請求項１０に記載の監視方法。
【請求項１２】
前記監視装置（１００、３４０）において、前記同軸ケーブル（１５０、２５０、３５０）の少なくとも２つのＤｉＳＥｑＣ制御信号の衝突が検出される場合、前記衝突が発生するまで、前記データネットワーク（１５２、２５２、３５２）を介して前記同軸ケーブル（１５０、２５０、３５０）に存在する部分的なＤｉＳＥｑＣ制御信号（３２３）が出力される、請求項９乃至請求項１１のいずれか一項に記載の監視方法。
【請求項１３】
前記電子機器（２００、３２０、３２８）において、前記同軸ケーブル（１５０、２５０、３５０）を介して送信され、前記同軸ケーブル（１５０、２５０、３５０）に存在するとして報告されない制御信号（１０２、２０２、３０２、３３２）を再送信する、請求項９乃至請求項１２のいずれか一項に記載の監視方法。
【請求項１４】
前記電子機器（２００、３２０、３２８）において、部分的なＤｉＳＥｑＣ制御信号（３２３）を受信し、前記部分的なＤｉＳＥｑＣ制御信号（３２３）が電子機器（２００、３２０、３２８）によって送信された前記最後に送信された制御信号（１０２、２０２、３０２、３３２）に対応する場合、前記最後の制御信号（１０２、２０２、３０２、３３２）を直ちに再送信し、または前記部分的なＤｉＳＥｑＣ制御信号（３２３）が前記最後に送信された制御信号（１０２、２０２、３０２、３３２）に対応しない場合、所定の時間の後に前記制御信号（１０２、２０２、３０２、３３２）を再送信する、請求項９乃至請求項１３のいずれか一項に記載の監視方法。
【発明の詳細な説明】
【背景技術】
【０００１】
あらゆる単一ケーブル信号伝送システムに適用可能であるが、本発明は、主に単一ケーブル衛星システムと併せて説明される。
【０００２】
今日、テレビおよびラジオ番組は、複数の異なる流通チャネルを介して受信される場合がある。特に遠隔地では、衛星ベースのテレビおよびラジオの受信が広く使用されている。このような衛星ベースのテレビおよびラジオの受信の利点は、地上インフラストラクチャを提供する必要がなく、遠隔地でも衛星信号で簡単に到達できることである。
【０００３】
建物へのそのような衛星設備は、例えば、衛星放送受信アンテナおよび衛星放送受信アンテナに接続されているテレビセットのみである。より大きな建物では、複数のテレビセットまたはセットトップボックス（ｓｅｔ−ｔｏｐ  ｂｏｘｅｓ）が、単一のＬＮＢを備えた単一の衛星放送受信アンテナによって提供される場合がある。そのようなシステムでは、クアトロＬＮＢ（ｑｕａｔｔｒｏ  ＬＮＢ）からの信号をテレビおよびセットトップボックスのような複数の機器に分配するマルチスイッチを使用することができる。
【０００４】
しかしながら、マルチスイッチを使用すると、設備を実行するために必要なケーブル敷設の労力が大幅に増加する。したがって、マルチスイッチの代わりに、いわゆる単一ケーブルまたユニケーブル（ｕｎｉｃａｂｌｅ）設備が導入された。
【０００５】
ユニケーブル設備により、単一の同軸ケーブルを介して複数のユーザに衛星信号を配信でき、家庭用電化製品をサポートするために必要な多数のケーブルが不要になる。
【０００６】
ユニケーブル設備では、各衛星受信機に専用のユーザ帯域が割り当てられる。このようなユーザ帯域は、トランスポンダとほぼ同じ帯域幅を持っている。受信機は、いわゆるＤｉＳＥｑＣコマンドまたはＤｉＳＥｑＣ制御信号を介して特定のトランスポンダ周波数を要求する場合がある。ＬＮＢまたは分配ユニットでは、ミキサーが受信した衛星信号をそれぞれの受信機の正しいユーザ帯域に変換する。次に、さまざまなユーザの変換された信号が結合され、単一の同軸ケーブルを介して受信機に送信される。結合された信号は、例えば、すべてのユーザに到達するためにタップまたは分割される。
【０００７】
しかしながら、このような設備では、ＤｉＳＥｑＣコマンドの衝突（ｃｏｌｌｉｓｉｏｎｓ）が発生する場合がある。これにより、受信機がユーザ帯域で間違った衛星信号を受信する場合がある。
【０００８】
したがって、ユニケーブル衛星設備における制御信号処理を改善する必要がある。
【発明の概要】
【０００９】
本発明は、請求項１の特徴を有する監視装置、請求項５の特徴を有する電子機器、請求項８の特徴を有する単一ケーブル衛星システム、および請求項９の特徴を有する監視方法を提供する。
【００１０】
したがって、同軸ケーブルの制御信号の衝突を監視するための監視装置が提供され、監視装置は、同軸ケーブルで送信される制御信号を検出するために、監視装置を同軸ケーブルに結合するように構成された入力ポートと、監視装置をデータネットワークに結合するように構成され、検出された制御を出力するように構成されたデータインターフェースと、を含む。
【００１１】
また、同軸ケーブルを介して衛星信号を受信するための電子機器が提供され、機器は、電子機器を同軸ケーブルに結合するように構成された信号インターフェースと、電子機器を前述の請求項のいずれか一項に記載された監視装置に結合するように構成されたデータインターフェースと、信号インターフェースを介して同軸ケーブルに制御信号、特にＤｉＳＥｑＣ制御信号を送信し、同軸ケーブルのそれぞれの制御信号の存在について、データインターフェースを介して監視装置に照会するように構成された機器制御ユニットと、を含む。
【００１２】
さらに、単一ケーブル衛星システムが提供され、単一ケーブル衛星システムは、ユニケーブル対応ＬＮＢなどの衛星信号受信機と、衛星信号受信器に結合される単一の同軸ケーブルと、単一の同軸ケーブルに結合される本発明に係る監視装置と、単一の同一ケーブルに結合される本発明に係る少なくとも１つの電子機器と、を含む。
【００１３】
また、同軸ケーブルの制御信号の衝突を監視するための方法が提供され、監視方法は、電子機器の信号インターフェースを介して、同軸ケーブルに制御信号、特にＤｉＳＥｑＣ制御信号を送信し、監視装置において、同軸ケーブルに送信される制御信号を検出し、データネットワークを介して、電子機器を用いて同軸ケーブルのそれぞれの制御信号の存在を照会し、監視装置を用いてデータネットワークを介して検出された制御信号を出力する。
【００１４】
本発明は、例えば単一ケーブル衛星設備、ユニケーブル衛星設備とも呼ばれるテレビセットまたはセットトップボックスなどの電子機器において、ＤｉＳＥｑＣコマンドまたはＤｉＳＥｑＣ制御信号の衝突を検出することが困難であるという発見に基づいている。
【００１５】
したがって、本発明は、単一の電子機器が、衛星システムのＬＮＢなどの衛星信号受信機へのＤｉＳＥｑＣ制御信号が同軸ケーブルを介して衛星受信機に正しく送信されたかどうかを検証することを可能にする第２の通信チャネルを含むシステムを提供する。本文脈において、電子機器という用語は、同軸ケーブルを介して衛星信号を受信することができ、単一の同軸ケーブルを介して、ＤｉＳＥｑＣ制御信号などの制御信号を送信することができるあらゆる機器をいう。
【００１６】
この第２のチャネルは、第２のチャネルを介して同軸ケーブルに送信されるＤｉＳＥｑＣ制御信号に関する情報を提供することができる監視装置によって提供される。第２のチャネルは、例えば、有線または無線などのデータネットワークなど、あらゆるタイプのデータチャネルなどであってもよい。そのような有線または無線のデータネットワークは、例えば、イーサネットワーク、光ネットワーク、ＷＩＦＩネットワークなどのワイヤレスネットワーク、またはその他のタイプのネットワークを含むことが理解される。そのようなネットワークは、例えば、単一ケーブル衛星システムの監視装置と電子機器とを相互接続するようなルータ、スイッチなどの複数の異なる要素を含む場合があることがさらに理解される。
【００１７】
本発明に係る単一ケーブル衛星システムは、電子機器が監視装置に照会し、ＤｉＳＥｑＣ制御信号が単一の同軸ケーブルを介して衛星信号受信機に正しく送信されるかどうかを検証することを可能にする。この目的のため、電子機器は、例えば、ＷＩＦＩネットワークなどのデータインターフェースを介して、監視装置を用いてデータ通信を確立し、監視装置が同軸ケーブルで識別したＤｉＳＥｑＣ制御信号を照会
【００１８】
電子機器の１つのみがＤｉＳＥｑＣ制御信号を送信する場合、監視装置はこの信号を検出し、データインターフェースを介して電子機器にそれぞれの情報を提供する。しかしながら、複数のＤｉＳＥｑＣ制御信号が同時に送信され、互いに衝突する場合、監視装置は正しいＤｉＳＥｑＣ制御信号を検出しない。したがって、この場合、監視装置は、検出されたＤｉＳＥｑＣ制御信号に関する情報を電子装置に提供しない。したがって、電子装置は、制御信号の衝突が発生したことを認識し、それに応じて応答してもよい。
【００１９】
要約すると、本発明は、電子機器が、ＤｉＳＥｑＣ制御信号が衛星信号受信機に正しく送信されるかどうかを判定するための信頼できる方法を提供する。これにより、ＤｉＳＥｑＣ制御信号が正しく送信されなかった場合に、電子機器がそれぞれのアクションを実行できるようになる。
【００２０】
監視装置は、例えば、同軸ケーブルインターフェースおよびネットワークインターフェースを備えた組み込みシステムなどの専用の装置であってもよいことが理解される。あるいは、監視装置は、例えば、衛星信号受信機と統合されていてもよいことが理解される。例えば、少なくとも１つの同軸ケーブルポートおよびネットワークポートまたはＷＩＦＩインターフェースを含む拡張ＬＮＢが提供されてもよい。そのような拡張ＬＮＢは、例えば、衛星信号を受信し、および転送すると同時に、監視装置の機能を提供してもよい。そのようなＬＮＢは、例えば、同軸ケーブルを介して、またはネットワークポートが存在する場合はパワーオーバーイーサーネットなどのイーサーネットケーブルを介して、電気エネルギーが供給されてもよい。
【００２１】
本発明のさらなる実施形態は、図面を参照して、さらなる従属項および以下の説明の対象となる。
【００２２】
一実施形態において、監視装置は、ＤｉｓＥｑＣ制御信号の存在について同軸ケーブルで検出された信号を分析するように構成された制御ユニットを含み、制御ユニットは、さらに、例えば、データインターフェースに結合された機器による要求に応じて、データインターフェースを介して検出されるＤｉｓＥｑＣ制御信号を出力するように構成される。
【００２３】
監視装置は、例えば、同軸ケーブルを介して送信される制御信号を受信できるマイクロコントローラまたは別の種類のプロセッサを含んでいてもよい。
【００２４】
別の実施形態では、制御ユニットは、同軸ケーブルで検出された信号をデコードし、同軸ケーブルの少なくとも２つのＤｉＳＥｑＣ制御信号の衝突を検出し、データインターフェースを介してそれぞれの情報を出力するように構成されてもよい。
【００２５】
上述したＤｉＳＥｑＣ制御信号デコーダの代わりに、ＤｉＳＥｑＣ制御信号デコーダのロジックは、例えば、ファームウェアとしてマイクロコントローラまたはプロセッサに、またはＡＳＩＣ、ＦＰＧＡなどの専用の要素で実装されていてもよい。この場合、制御ユニットは、ＤｉＳＥｑＣ制御信号のデコードを実行するだけでなくてもよい。代わりに、制御ユニットは、別の衝突するＤｉＳＥｑＣ制御信号によってカバーされる部分的なＤｉＳＥｑＣ制御信号を検出してもよい。
【００２６】
この場合、制御ユニットは、例えば、データインターフェースを介して検出された衝突に関する情報を出力してもよい。そのような情報は、例えば、ブロードキャストメッセージで、または専用メッセージで、データインターフェースを介して制御ユニットによってアクティブに送信されてもよい。あるいは、ＤｉＳＥｑＣ制御信号デコーダは、衝突を検出し、制御ユニットにそれぞれの情報を提供する機能を含んでいてもよい。
【００２７】
監視装置と電子機器との間のデータの送信は、例えば、独自の高レベルプロトコル、またはＴＣＰ／ＩＰもしくはＵＤＰ通信上のＭＱＴＴなどの他のプロトコルに基づいて実行されてもよいことが理解される。
【００２８】
さらなる実施形態では、制御ユニットが同軸ケーブルの少なくとも２つのＤｉＳＥｑＣ制御信号の衝突を検出する場合、制御ユニットは、衝突が発生するまでデータインターフェースを介して制御ユニットによって受信される部分的なＤｉＳＥｑＣ制御信号を出力するように構成されてもよい。
【００２９】
２つの制御信号間の衝突は、第１のＤｉＳＥｑＣ制御信号の送信中の任意の時点で発生する場合がある。これは、それぞれのＤｉＳＥｑＣ制御信号の少なくとも一部が正しく送信される場合があることを意味する。したがって、制御ユニットは、少なくとも、第１のＤｉＳＥｑＣ制御信号のセクションを正しくデコードすることができる。
【００３０】
次に、制御ユニットは、電子機器にデコードすることができる情報を提供してもよい。上記は、監視装置と電子機器との間のデータの送信についても適用される。
【００３１】
これにより、ＤｉＳＥｑＣ制御信号を発し、衝突を引き起こした電子機器が、どの機器が最初にＤｉＳＥｑＣ制御信号の送信を開始したかを判定することができる。電子機器は、例えば、機器が発したＤｉＳＥｑＣ制御信号を、監視装置の制御ユニットによって提供される受信されたＤｉＳＥｑＣ制御信号のセクションと比較することを開始する。監視装置の制御ユニットによって提供される受信されたＤｉＳＥｑＣ制御信号のセクションと一致するＤｉＳＥｑＣ制御信号を送信した電子装置は、それがＤｉＳＥｑＣ制御信号を送信した最初の電子装置であると判定してもよい。
【００３２】
次に、この電子機器は、例えば、ＤｉＳＥｑＣ制御信号を再送信することを直ちに開始することができる。これに対し、他の電子機器は、例えば、それぞれのＤｉＳＥｑＣ制御信号を再送信するまで、所定の時間待機してもよい。
【００３３】
他の電子機器は、また、少なくともＤｉＳＥｑＣ制御信号と同じ長さ、およびＤｉＳＥｑＣ制御信号の長さの倍数である任意の時間またはランダムな時間待機してもよい。特に、複数の電子機器を備えた設備では、２つより多い電子機器が最初の衝突を引き起こした場合でも、これによりＤｉｓＥｑＣ制御信号の順次送信が提供される。
【００３４】
一実施形態では、機器制御ユニットは、同軸ケーブルを介して機器制御ユニットによって送信され、監視装置によって同軸ケーブルに存在するとして報告されない制御信号を再送信するように構成されてもよい。
【００３５】
機器制御ユニットは、例えば、専用ユニットを含んでいてもよく、電子機器のプロセッサに実装されてもよい。
【００３６】
さらなる実施形態では、機器制御ユニットは、監視装置からＤｉＳＥｑＣ制御信号を受信し、部分的なＤｉＳＥｑＣ制御信号が最後に送信された制御信号に対応する場合に、最後に送信された制御信号を直ちに再送信するように構成されてもよく、機器制御ユニットは、部分的なＤｉＳＥｑＣ制御信号が最後に送信された信号に対応しない場合に、所定の時間の後に最後に送信された制御信号を再送信するように構成されてもよい。
【００３７】
部分的なＤｉＳＥｑＣ制御信号は、同軸ケーブルで衝突が発生したことを暗黙的に示す。しかしながら、完全なＤｉＳＥｑＣ制御信号または部分的なＤｉＳＥｑ制御信号のみが検出された場合に、監視装置から電子機器への信号送信をすることができるプロトコルが実装されることも可能である。
【図面の簡単な説明】
【００３８】
本発明およびその利点をより完全に理解するために、添付の図面と併せて以下の説明を参照する。本発明は、図面の概略図に具体化された例示的な実施形態を用いて、以下でより詳細に説明される。
【００３９】
【図１】本発明に係る監視装置の一実施形態のブロック図を示す。
【図２】本発明に係る電機器の一実施形態のブロック図を示している。
【図３】本発明に係る単一ケーブル衛星システムの一実施形態のブロック図を示す。
【図４】本発明に係る監視方法の一実施形態のフロー図を示す。
【００４０】
図中の参照記号は、特に明記しない限り、同様の要素を示す。
【発明を実施するための形態】
【００４１】
図１は、監視装置１００のブロック図を示す。監視装置１００は、入力ポート１０１およびデータインターフェース１０３を含む。入力ポート１０１は、同軸ケーブル１５０に送信される制御信号を読み取るために、監視装置１００を同軸ケーブル１５０に接続するように機能する。データインターフェース１０３は、例えば、イーサネットまたはＷＩＦＩに基づくローカルエリアネットワークなどのデータネットワーク１５２に監視装置１００を結合する。
【００４２】
監視装置１００は、制御信号１０２が同軸ケーブル１５０で検出される場合、データインターフェース１０３を介して検出された制御信号１０４を出力する。「検出された制御信号１０４を出力する」という用語は、検出された制御信号１０４に関する情報を出力するという場合があることが理解される。
【００４３】
次に、検出された制御信号１０４は、単一の電子機器または複数の電子機器に提供されてもよい。検出された制御信号１０４は、データネットワーク１５２を介して、例えば、ディレクティッドＴＣＰ／ＩＰまたはＵＤＰベースの通信などの専用通信を介して、単一の電子機器に提供されてもよい。あるいは、ブロードキャストメッセージが、データネットワーク１５２を介して複数の電子機器に提供される監視装置１００によって発せられてもよい。例えば、ＭＱＴＴなどの高レベルプロトコルが、検出された制御信号１０４を分配するために使用されてもよい。
【００４４】
図２は、電子機器２００のブロック図を示す。電子機器２００は、信号インターフェース２０５、データインターフェース２０６、ならびに信号インターフェース２０５およびデータインターフェース２０６に結合された機器制御ユニット２０７を含む。信号インターフェース２０５は、同軸ケーブル２５０に電子機器２００を結合し、データインターフェース２０６は、データネットワーク２５２に電子機器２００を結合する。
【００４５】
機器制御ユニット２０７は、信号インターフェース２０５を介して、同軸ケーブル２５０にＤｉＳＥｑＣ制御信号などの制御信号２０２を送信してもよい。これは、ユーザが、同軸ケーブル２５０に現在提供されていないトランスポンダを介して送信されるテレビチャネルに切り替える場合に適用される場合がある。
【００４６】
同軸ケーブル２５０にそのような信号を送信した後、機器制御ユニット２０７は、次に、同軸ケーブル２５０のそれぞれの制御信号２０２の存在について、データインターフェース２０６およびデータネットワーク２５２を介して監視装置に照会してもよい。電子機器２００は、例えば、データネットワーク２５２なしで直接監視装置に結合されてもよい。この場合、監視装置は、例えば、ＷＩＦＩアクセスポイントを提供する。
【００４７】
送信された制御信号２０２が同軸ケーブル２５０で検出されず、監視装置によって報告されない場合、２つの制御信号２０２の衝突が発生している可能性があり、機器制御ユニット２０７は、それぞれのアクションを実行してもよい。例えば、機器制御ユニット２０７は、それぞれの制御信号２０２を再送信してもよい。そのような再送信は、直ちに、またはランダムな時間の後で起こしてもよい。
【００４８】
また、機器制御ユニット２０７は、例えば、監視装置から部分的なＤｉＳＥｑＣ制御信号を受信し、部分的なＤｉＳＥｑＣ制御信号が最後に送信された制御信号２０２に対応する場合、最後に送信された制御信号を直ちに再送信してもよい。しかしながら、機器制御ユニット２０７は、部分的なＤｉｓＥｑＣ制御信号が最後に送信された制御信号２０２に対応しない場合、所定の時間の後に最後に送信された制御信号２０２を再送信することができる。これに関し、最後に送信された制御信号２０２に対応する部分的なＤｉＳＥｑＣ制御信号は、互いに対応する、または等しい２つの信号のうち、最初のビットから始まる少なくともいくつかのビットまたは情報ユニットを参照してもよい。
【００４９】
図３は、単一ケーブル衛星システム３００のブロック図を示す。単一ケーブル衛星システム３００は、衛星信号受信機３２１に結合される同軸ケーブル３５０を含み、衛星信号および制御信号３０２、３３２を転送してもよい。単一ケーブル衛星システム３００では、２つの例示的な電子機器３２０、３２８が同軸ケーブル３５０に結合されている。
【００５０】
電子機器３２０、３２８のそれぞれは、信号インターフェース３２５、３２９、データインターフェース３２６、３３０、ならびに信号インターフェース３２５、３２９およびデータインターフェース３２６、３３０に結合される機器制御ユニット３２７、３３１を含む。電子機器２００に関する説明は、必要な変更を加えて、電子機器３２０、３２８に適用される。
【００５１】
単一ケーブル衛星システム３００では、電子機器３２０、３２８の両方が、同軸ケーブルを介して電子機器３２０、３２８に制御信号３０２、３３２を送信することができる。電子機器３２０、３２８の両方が制御信号３０２、３３２を同時に送信する場合、制御信号３０２、３３２は衝突する可能性があり、制御信号は衛星信号受信機３２１に正しく到達しない。
【００５２】
そのような信号衝突を検出するために、単一ケーブル衛星システム３００は、電子機器３２０、３２８が、制御信号３０２、３３２が衛星信号受信機３２１に正しく提供されているかどうかを照会することを可能にする監視装置３４０を提供する。図１の監視装置１００に関する説明は、監視装置３４０にも適用される。また、監視装置３４０は、入力ポート３４１およびデータインターフェース３４２に結合される制御ユニット３４３を含む。
【００５３】
制御ユニット３４３は、例えば、ＤｉＳＥｑＣ制御信号のような制御信号３０２、３３２の存在について、同軸ケーブル３５０で検出された信号を分析してもよい。また、制御ユニット３４３は、データインターフェース３４２およびデータネットワーク３５２を介して、電子機器３２０、３２９に検出されたＤｉＳＥｑＣ制御信号３２２を出力することができる。
【００５４】
制御ユニット３４３は、例えば、同軸ケーブル３５０で検出された信号をデコードし、同軸ケーブル３５０の少なくとも２つのＤｉＳＥｑＣ制御信号３０２、３３２の衝突を検出してもよい。衝突は、例えば、制御ユニット３４３が制御信号３０２、３３２の１つを正しくデコードを開始し、それぞれの制御信号３０２、３３２の任意の点で、ぞれぞれの制御信号３０２、３３２を正しくデコードすることができない場合に検出される。この場合、制御ユニット３４３は、例えば、データインターフェース３４２を介して、それぞれの情報を出力してもよい。
【００５５】
制御ユニット３４３が、同軸ケーブル３５０の少なくとも２つの制御信号３０２、３３２の衝突を検出する場合、制御ユニット３４３は、衝突がデータインターフェース３４２を介して発生するまで、制御ユニット３４３によって受信される部分的なＤｉＳＥｑＣ制御信号３２３を出力してもよい。
【００５６】
図４に基づく方法の以下の説明を明確にするために、図１〜３に基づく装置の説明において使用された参照符号を維持する。
【００５７】
図４は、制御信号の衝突について同軸ケーブル１５０、２５０、３５０を監視するための監視方法のフロー図を示す。
【００５８】
監視方法は、電子機器２００、３２０、３２８の信号インターフェース２０５、３２５、３２９を介して、同軸ケーブル１５０、２５０、３５０に制御信号１０２、２０２、３０２、３３２、特にＤｉＳＥｑＣ制御信号を送信し（Ｓ１）、監視装置１００、３４０において、同軸ケーブル１５０、２５０、３５０で送信される制御信号１０２、２０２、３０２、３３２を検出し（Ｓ２）、データネットワーク１５２、２５２、３５２を介して、電子機器２００、３２０、３２８を用いて同軸ケーブル１５０、２５０、３５０のそれぞれの制御信号１０２、２０２、３０２、３３２の存在について照会し（Ｓ３）、監視装置１００、３４０を用いて、データネットワーク１５２、２５２、３５２を介して検出された制御信号１０４、２０４、３０４を出力する（Ｓ４）、ことを含む。
【００５９】
監視方法は、また、監視装置１００、３４０において、ＤｉＳＥｑＣ制御信号の存在について同軸ケーブル１５０、２５０、３５０で検出された信号を分析し、データネットワーク１５２、２５２、３５２を介して、検出されたＤｉＳＥｑＣ制御信号３２２を出力することを含んでいてもよい。
【００６０】
さらに、または代わりに、監視方法は、また、監視装置１００、３４０において、同軸ケーブル１５０、２５０、３５０で検出された信号をデコードし、同軸ケーブル１５０、２５０、３５０の少なくとも２つのＤｉＳＥｑＣ制御信号の衝突を検出し、データネットワーク１５２、２５２、３５２を介して、それぞれの情報を出力することを含んでいてもよい。
【００６１】
監視装置１００、３４０において、同軸ケーブル１５０、２５０、３５０の少なくとも２つのＤｉＳＥｑＣ制御信号の衝突が検出される場合、衝突が発生するまで同軸ケーブル１５０、２５０、３５０に存在する部分的なＤｉＳＥｑＣ制御信号３２３が、データネットワーク１５２、２５２、３５２を介して電子機器２００、３２０、３２８に対して出力されてもよい。
【００６２】
また、監視方法は、電子機器２００、３２０、３２８において、同軸ケーブル１５０、２５０、３５０を介して送信され、同軸ケーブル１５０、２５０、３５０に存在するとして報告されない制御信号１０２、２０２、３０２、３３２を再送信することを含んでいてもよい。
【００６３】
さらに、または代えて、監視方法は、電子機器２００、３２０、３２８において、部分的なＤｉＳＥｑＣ制御信号３２３受信し、部分的なＤｉＳＥｑＣ制御信号３２３が、電子機器２００、３２０、３２８によって送信された最後の制御信号１０２、２０２、３０２、３３２に対応する場合に、最後に送信された制御信号１０２、２０２、３０２、３３２を直ちに再送信し、または、部分的なＤｉＳＥｑＣ制御信号３２３が、最後に送信された制御信号１０２、２０２、３０２、３３２に対応しない場合に、所定の時間の後に制御信号１０２、２０２、３０２、３３２を再送信することを含んでいてもよい。
【００６４】
特定の実施形態が例示され、本明細書において説明されているが、様々な代替および／または同等の実施が存在することは当業者であれば理解される。例示的な実施形態は単なる例であり、いかなる方法でも範囲、適用可能性、または構成を制限することを意図するものではないことが理解される。むしろ、前述の要約および詳細な説明は、当業者に、少なくとも１つの例示的な実施形態を実施するための便利なロードマップを提供し、添付の請求項およびそれらの法的な均等物に記載されている範囲から逸脱することなく、例示的な実施形態に記載された要素の機能および配置に様々な変更を加えることができることが理解される。一般に、本願は、本明細書で議論されている特定の実施形態のあらゆる適用または変形をカバーすることを意図している。
【００６５】
本発明は、同軸ケーブル１５０、２５０、３５０の制御信号の衝突を監視するための監視装置１００、２４０を提供し、監視装置１００、３４０は、同軸ケーブル１５０、２５０、３５０に送信される制御信号を検出するために、監視装置１００、３４０を同軸ケーブル１５０、２５０、３５０に結合するように構成された入力ポート１０１、３４０と、監視装置１００、３４０をデータネットワーク１５２、２５２、３５２に結合するように構成され、検出された制御信号１０４、２０４、３０４を出力するように構成されたデータインターフェース１０３、３４２と、を含む。また、本発明は、同軸ケーブル１５０、２５０、３５０を介して衛星信号を受信するための電子機器２００、３２０、３２８を提供し、機器は、電子機器２００、３２０、３２８を同軸ケーブル１５０、２５０、３５０に結合するように構成された信号インターフェース２０５、３２５、３２９と、電子機器２００、３２０、３２８を前述の請求項のいずれか一項に記載された監視装置１００、３４０に結合するように構成されたデータインターフェース２０６、３２６、３３０と、信号インターフェース２０５を介して同軸ケーブル１５０、２５０、３５０に制御信号１０２、２０２、３０２、３３２、特にＤｉＳＥｑＣ制御信号を送信し、同軸ケーブル１５０、２５０、３５０のそれぞれの制御信号１０２、２０２、３０２、３３２の存在について、データインターフェース２０６、３２６、３３０を介して監視装置１００、３４０に照会するように構成された機器制御ユニット２０７、３２７、３３１と、を含む。さらに、本発明は、それぞれの単一ケーブル衛星システムおよびそれぞれの監視方法を提供する。
【符号の説明】
【００６６】
１００、３４０  監視装置
１０１、３４１  入力ポート
１０２、２０２、３０２、３３２  制御信号
１０３、３４２  データインターフェース
１０４、２０４、３０４  検出された制御信号
３４３  制御ユニット
２００、３２０、３２８  電子機器
２０５、３２５、３２９  信号インターフェース
２０６、３２６、３３０  データインターフェース
２０７、３２７、３３１  機器制御ユニット
３００  単一ケーブル衛星システム
３２１  衛星信号受信機
３２２  検出されたＤｉＳＥｑＣ制御信号
３２３  部分的なＤｉＳＥｑＣ制御信号
１５０、２５０、３５０  同軸ケーブル
１５２、２５２、３５２  データネットワーク
Ｓ１、Ｓ２、Ｓ３、Ｓ４  方法ステップ
【図１】
2022502880.tif 000002
【図２】
2022502880.tif 000003
【図３】
2022502880.tif 000004
【図４】
2022502880.tif 000005
【国際調査報告】
2022502880.tif 000006
2022502880.tif 000007